(57)【特許請求の範囲】
【請求項１】
布帛Ｗを処理液流にのせて搬送循環させながら液処理する布帛の液流処理機であって、
処理液Ｌが湛溜されて布帛Ｗを弛緩液浴せしめる並列に配設された少なくとも２つの処理槽１・１・…と；これら各処理槽１に接続され、並列する処理槽１・１・…の何れかの処理槽１と１の前部と後部とを繋いで互いに隣合わせにクロスする管路を形成して前記並列する処理槽１・１・…を巡るエンドレスの布循環回路Ｃを構成する少なくとも２つの移送管２・２・…と；これら移送管２の上流部に配設された噴射ノズル30・30・…と；前記並列する各処理槽１の各々の槽底部に配管されて槽内の処理液Ｌを導入可能な導管31・31・…と；これらの導管31に吸引側が連通する液流ポンプ３と；この液流ポンプ３の液送側に接続され、前記各噴射ノズル30から処理液Ｌを噴射せしめる供給管32・32・…と；前記液流ポンプ３が駆動することにより、前記各移送管２に配設した噴射ノズル30から噴射して各移送管２内に急流の処理液流を発生し、エンドレスの布循環回路Ｃ内にループ状に繋ぎ合わされた布帛Ｗが、処理槽１と移送管２の中を通過することにより処理槽１では拡布状態での弛緩液浴、移送管２内では急流の処理液流によりロープ状態で急送して、前記弛緩液浴とロープ状態の急流液浴とを順々に交代的に繰り返して当該布帛Ｗを均一に液処理できるようにしたことを特徴とした複槽式液流処理機。
【請求項２】
各処理槽１・１・…の所定位置、または各移送管２・２の所定位置に、ループ状布帛Ｗの所定部位に取り付けた磁性体Ｍを検知するセンサ４・４・…が各々設けられ、かつ、前記各処理槽１における各移送管２の噴射ノズル30を臨む上方位置には弛緩液浴された布帛Ｗを案内するための補助リール11が配設されており、前記センサ４による検知信号に基いて前記噴射ノズル30の液噴射および前記補助リール11の回転速度を調節することにより布帛Ｗの循環速度を調節して各処理槽１内における布帛Ｗの滞溜時間を調節できることを特徴とした請求項１記載の複槽式液流処理機。
【発明の詳細な説明】
【０００１】
【発明の属する技術分野】
本発明は、布帛の複槽式液流処理機に関し、さらに詳しくは、処理液流による布帛の循環速度を高めなくても均一な液処理を行うことができる複槽式液流処理機に関するものであり、布帛を染色する液流染色加工の他、例えば、精練、アルカリ減量などの布帛加工処理に利用することが可能である。
【０００２】
【従来の技術】
現在、布帛の染色加工には、布帛を染液流で搬送しながら染色する液流染色機が多用されている。この液流染色機はロープ状の布帛を染液中で循環させながら染色するものであり、噴射ノズルから染液を噴射して発生させた染液流を利用して布帛を循環させているので、布帛に加わる張力を少なくすることができ、しわが同じ位置に固定される危険も少ないため、ロープ皺のない良好な染色を施すことができる利点を有している。
【０００３】
しかしながら、従来の液流染色機は、その染色処理能力を向上させるべく染色槽の容量を大きくして染液量を増やそうとした場合、染色槽内における布帛の滞溜時間が長くなってしまい、例えば染色槽内の布帛の浮きによる染め斑が発生し易くなるなど均染を乱す難点があった。
【０００４】
勿論、大容量ポンプを用いて染液流量を大きくし、布帛の循環速度を更に高めるようにすれば、染色槽内の布帛の滞溜時間を短くすることができ、染色槽での染め斑に対処することも可能ではある。そして、この染液の大流量化は、低浴比化と共に、従来、業界で進められてきた液流染色機の改良方向の一つでもある。しかしながら、この大流量化による染め斑対処は、染液のノズル噴射圧力の増大によって布帛に目寄れや組織崩れが発生してしまうなど布帛に対するダメージが大きくなる弊害があり、この布帛の循環速度向上による均染化には限界があったのである。
【０００５】
【発明が解決しようとする課題】
本発明は、従来の液流染色に上記のような難点があったことに鑑みて為されたもので、布帛の循環速度を高めなくても均一な液処理を行うことができる複槽式液流処理機を提供することを技術的課題とするものである。
【０００６】
【０００７】
【課題を解決するための手段】
本発明は、上記の技術的課題を解決するために、布帛Ｗを処理液流にのせて搬送循環させながら液処理する布帛の液流処理機であって、処理液Ｌが湛溜されて布帛Ｗを弛緩液浴せしめる並列に配設された少なくとも２つの処理槽１・１・…と；これら各処理槽１に接続され、並列する処理槽１・１・…の中の何れかの処理槽１と１の前部と後部とが互いに隣合わせにクロスする管路を形成して前記並列する処理槽１・１・…を巡るエンドレスの布循環回路Ｃを構成する少なくとも２つの移送管２・２・…と；これら移送管２の上流部に配設された噴射ノズル30・30・…と；前記並列する各処理槽１の各々の槽底部に配管されて槽内の処理液Ｌを導入可能な導管31・31・…と；これらの導管31に吸引側が連通する液流ポンプ３と；この液流ポンプ３の液送側に接続され、前記各噴射ノズル30から処理液Ｌを噴射せしめる供給管32・32・…と；前記液流ポンプ３が駆動することにより、前記各移送管２に配設した噴射ノズル30から噴射して各移送管２内に急流の処理液流を発生し、エンドレスの布循環回路Ｃ内にループ状に繋ぎ合わされた布帛Ｗが、処理槽１と移送管２の中を通過することにより処理槽１では拡布状態での弛緩液浴、移送管２内では急流の処理液流によりロープ状態で急送して、前記弛緩液浴とロープ状態の急流液浴とを順々に交代的に繰り返して当該布帛Ｗを均一に液処理を施すという技術的手段を採用したのである。
【０００８】
【発明の実施の形態】
以下、本発明を添付図面に示す実施形態に基づいて詳しく説明する。なお、図１は本実施形態の複槽式液流処理機の構成を説明する概略断面図、図２は本発明に係る複槽式液流処理機の他の実施変形例を示した一部省略模式図である。
【０００９】
図１に示す本実施形態の複槽式液流処理機は、両端を繋ぎ合せてループ状にした布帛Ｗに所定の染色処理を施す複槽式液流染色機として具体化されている。
【００１０】
図１中、符号１で指示するものは、前部に布帛出入れハッチ10を備えた大略円筒形状の処理槽（染色槽）であり、本実施形態では、計二つの処理槽１・１を同じ向きに同一平面上で左右平行に並列してある。
【００１１】
これら二つの処理槽１・１内には各々、処理液Ｌたる染液が湛溜されており、これら湛溜された処理液Ｌ中でループ状の布帛Ｗを浮沈揺蕩させることによって布帛Ｗを拡布状態で弛緩液浴させるのである。なお、図中符号11で指示するものは、各処理槽１内で弛緩液浴された布帛Ｗを、後述する各移送管２の噴射ノズル30へ案内するための補助リールである。
【００１２】
図１中、符号２で指示するものは、上記二つの処理槽１・１の両端部近傍にそれぞれ接続され、これら処理槽１・１同士を連通して一つの布循環回路Ｃを形成する計二本の移送管である。これら移送管２・２は各々、二つの処理槽１・１のうちの一方の処理槽１の前部と他方の処理槽１の後部とを連通するものであり、本実施形態では、上述したように二つの処理槽１・１が同じ向きに並列してあるので、これら移送管２・２は上下にクロスして、一つの大略８字形状の布循環回路Ｃを形成している。
【００１３】
これら二本の移送管２・２内には各々、次述する噴射ノズル30の液噴射によって処理液Ｌたる染液が急流されており、この急流状態の処理液流を利用することによって、布帛Ｗを各処理槽１の前部からロープ状態で導き、そして、導いた布帛Ｗを隣りの処理槽１の後部へ液流搬送するのである。こうして、布帛Ｗが移送管２・２内の処理液流で搬送されて布循環回路Ｃを循環するのである。
【００１４】
図中、符号３で指示するものは、各移送管２内に急流の処理液流を発生させるための液流ポンプである。この液流ポンプ３は、各処理槽１内に湛溜した処理液Ｌを槽底部に配管された導管31ａ・31ｂを介して吸い込み、そして、吸い込んだ処理液Ｌを加圧して、供給管32を介して各移送管２の上流部に配設された噴射ノズル30から噴射させる。なお、図中符号33で指示するものは、処理液Ｌを所望の温度に昇降温させるための熱交換器であり、符号34で指示するものは、噴射ノズル30の噴射流量を調節するためのノズル弁である。
【００１５】
図中、符号４で指示するものは、ループ状布帛Ｗの繋ぎ合せ部分に予め取り付けてある磁性体Ｍを検知するセンサであり、本実施形態では、各処理槽１・１の前部に配設されている。これらセンサ４・４の検知信号に基いて各処理槽１における布帛Ｗの循環速度、滞溜時間を計測し、左右の処理槽１・１の間で布帛滞溜時間に差が生じた場合に、前記噴射ノズル30の液噴射や補助リール11の回転速度を各々調節して各処理槽１内における布帛Ｗの滞溜時間を調節するのである。
【００１６】
しかして、本実施形態の複槽式液流処理機においては、まず、何れか一方の処理槽１の布帛出入れハッチ10を開いて、非ループ状の布帛Ｗの先端部を移送管２内へ入れ、処理液流を利用して布帛Ｗの先端部を布循環回路Ｃで一周させ、次いで、布帛出入れハッチ10付近に戻ってきた布帛Ｗの先端部を当該布帛Ｗの末端部とを繋ぎ合わせて布帛Ｗをループ状にすると共にその繋ぎ合わせ部分に磁性体Ｍを取り付ける。然る後、布帛Ｗ全体を布循環回路Ｃに送り込めば、このループ状の布帛Ｗが処理液流で搬送されながら布循環回路Ｃを循環して布帛Ｗに液処理（染色処理）が施されるのである。
【００１７】
このように、本実施形態の複槽式液流処理機においては、布帛Ｗが循環する布循環回路Ｃが、交互に連結された二つの処理槽１・１と二つの移送管２・２とから形成されているので、布帛Ｗが当該布循環回路Ｃを一循環する毎に、布帛Ｗには、処理槽１による二回の拡布状態での弛緩液浴と、移送管２による二回のロープ状態での液流搬送とが順々に交代的に繰り返されることになる。したがって、布帛Ｗの循環速度を高めて各処理槽１内での布帛の滞溜時間を短縮しなくても、染め斑が発生しない均一な液処理を行なうことができるのである。
【００１８】
つまり、従来の繊維加工業界においては、一つのループ状布帛に対し一つの処理槽で弛緩液浴を行うことを前提にした見方で液流染色機の改良が重ねられ、布帛を高速循環させることによって均染を実現する方向に進んできたのであるが、本実施形態では、一つのループ状布帛Ｗに対し二つの処理槽１・１で二回に分けて弛緩液浴を行うようにしているので、液処理能力を向上させるべく処理液量を増大させても、布帛の循環速度を上げる必要がなく、布帛にダメージを与えることなく均一な液処理を施すことができるのである。
【００１９】
また、本実施形態の複槽式液流処理機は、基本的に従来の二台の単槽式の液流処理機の各移送管の配管を変更するだけで簡単に構成することができるので、既存の設備を有効に利用することができる利点もある。
【００２０】
本発明の具体例である実施形態は概ね上記のように構成されているが、本発明はこの実施形態に限定されるものではなく『特許請求の範囲』の記載内で種々の変更が可能である。
【００２１】
例えば、上記実施形態では、二つの処理槽１・１を同じ向きに同一平面上で左右平行に並列させ、これら二つの処理槽１・１同士を、互いにクロスした二本の移送管２・２で連通することによって、大略８字形状の布循環回路Ｃを形成しているが、本発明は決してこれに限定されるものではなく、例えば、図２に示すように、三つ以上の処理槽１・１…を三本以上の移送管２・２…で連通して一つの布循環回路Ｃを形成するようにしてもよい。たゞし、図２に示す複槽式液流処理機にあっては簡略化のために液流ポンプ３、導管31、および供給管32は図示を省略した。必要とする処理液の総量等を考慮して種々の設計変更が可能である。
【００２２】
【発明の効果】
以上、実施形態をもって説明したとおり、本発明においては、布帛が循環する布循環回路が、交互に連結された複数の処理槽と大略８字形状にクロスした複数の移送管とからエンドレスの布循環管路が形成されているので、布帛が当該布循環回路を一循環する毎に、この布帛は複数の処理槽と複数の移送管とを順々に交代的に通過することになり、布帛に対して複数の処理槽により複数回に分けて弛緩液浴を施すことができる。したがって、液処理能力を向上させるべく処理液量を増大させても、布帛の循環速度を上げる必要がなく布帛にダメージを与えることなく均一な液処理を施すことが可能なのである。
【００２３】
請求項２記載の発明によれば、前述の段落[0015]において説明したとおり、回転速度を調整可能な補助リールによって、布帛は弛緩液浴されている状態から急流される状態に変化するときの布帛のダメージを緩和することができ、かつ、弛緩液浴から布帛を引き上げるときの引上げを助勢することが可能であって、円滑に液流処理を行なうことが可能となる。
【図面の簡単な説明】
【図１】本実施形態の複槽式液流処理機の構成を説明する概略断面図である。
【図２】本発明に係る複槽式液流処理機の他の実施変形例を示した一部省略模式図である。
【符号の説明】
１     処理槽
２     移送管
３     液流ポンプ
30     噴射ノズル
４     センサ
Ｃ     布循環回路
Ｌ     処理液
Ｗ     布帛
Ｍ     磁性体
【図１】
0003993951.tif 000002
【図２】
0003993951.tif 000003